【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
複数の位相差画素と、複数の通常画素とを含む画素配列と、
前記複数の位相差画素の画素値の読出しを、前記複数の通常画素の画素値の読出しとは独立して制御する読出し制御部と
を具備する撮像素子。
【請求項２】
前記画素配列は、
複数の位相差画素と複数の通常画素とを含む位相差ラインと、
複数の通常画素を含み、位相差画素を含まない通常ラインと
からなる請求項１に記載の撮像素子。
【請求項３】
前記読出し制御部は、第１の期間に前記位相差画素の画素値の読出しを制御し、第２の期間に前記通常画素の読出しを制御する
請求項２に記載の撮像素子。
【請求項４】
前記第２の期間の読出しは、前記位相差ライン及び前記通常ラインにおける通常画素の読出しである
請求項３に記載の撮像素子。
【請求項５】
前記第２の期間は、前記第１の期間とは異なる期間である
請求項４に記載の撮像素子。
【請求項６】
複数の前記位相差ライン及び複数の前記通常ラインにおける読出しラインを選択する行走査部と、
前記選択された読出しラインにおける読出し画素を選択する列走査部と
をさらに具備する請求項２から６のいずれかに記載の撮像素子。
【請求項７】
前記選択されたラインにおける前記選択された画素を同時に駆動する駆動部と、
前記駆動された画素の画素値を保持する画素値保持部と
をさらに具備する請求項６に記載の撮像素子。
【請求項８】
前記列走査部は、前記保持された画素値の各々を所定の順番で出力する
請求項７記載の撮像素子。
【請求項９】
前記複数の位相差画素は、互いに対応する第１の位相差画素及び第２の位相差画素を複数含み、
前記読出し制御部は、前記第１の読出し期間に含まれる第３の読出し期間に前記複数の第１の位相差画素の画素値を、前記第１の読出し期間に含まれる第４の読出し期間に前記複数の第２の位相差画素の画素値を、それぞれ読み出す
請求項１から８のいずれかに記載の撮像素子。
【請求項１０】
出力される１フレームが、読み出された前記複数の位相差画素の画素値と、読み出された前記複数の通常画素の画素値とを含み、前記読み出された前記複数の位相差画素の画素値は、読み出された前記複数の通常画素の画素値の後に出力される、
請求項１から９のいずれかに記載の撮像素子。
【請求項１１】
前記列走査部は、前記第１の期間内に前記位相差ラインのいずれかが選択された場合には前記位相差画素の位置に対応する順番において画素の画素値として出力されることのない固定値をさらに出力する
請求項２から１０のいずれかに記載の撮像素子。
【請求項１２】
前記第１の期間内に選択されたラインの各々において所定の位置関係にある複数の画素に前記位相差画素が含まれる場合には前記通常画素の画素値と前記固定値とを加算し、前記所定の位置関係にある複数の画素に前記位相差画素が含まれない場合には前記複数の画素の画素値を加算する画素加算部をさらに具備し、
前記列走査部は、前記第１の期間内に選択されたラインの各々において前記加算された値を出力する
請求項１１記載の撮像素子。
【請求項１３】
前記複数の位相差画素の各々は、瞳分割された一対の光を受光するための一対の位相差画素を含み、
前記行走査部は、前記第２の期間において前記位相差ラインの各々を選択する走査処理を２回実行し、
前記列走査部は、前記第２の期間内の１回目の走査処理で選択されたラインの各々において前記一対の位相差画素のうちの一方の画素値を出力し、前記第２の期間内の２回目の走査処理で選択されたラインの各々において前記一対の位相差画素のうちの他方の画素値を出力する
請求項６から１２のいずれかに記載の撮像素子。
【請求項１４】
複数の位相差画素と、複数の通常画素とを含む画素配列において前記複数の位相差画素の画素値の読出しを行う位相差画素読出し手順と、
前記位相差画素読出し手順とは独立して前記複数の通常画素の画素値の読出しを行う通常画素読出し手順と
を具備する撮像素子の制御方法。
【請求項１５】
複数の位相差画素と、複数の通常画素とを含む画素配列と、
前記複数の位相差画素の画素値の読出しを、前記複数の通常画素の画素値の読出しとは独立して制御する読出し制御部と
を具備する撮像装置。
【請求項１６】
前記画素配列は、
複数の位相差画素と複数の通常画素とを含む位相差ラインと、
複数の通常画素を含み、位相差画素を含まない通常ラインと
からなる請求項１５に記載の撮像装置。
【請求項１７】
前記読出し制御部は、第１の期間に前記位相差画素の画素値の読出しを制御し、第２の期間に前記通常画素の読出しを制御する
請求項１６に記載の撮像装置。
【請求項１８】
前記第２の期間の読出しは、前記位相差ライン及び前記通常ラインにおける通常画素の読出しである
請求項１７に記載の撮像装置。
【請求項１９】
前記第２の期間は、前記第１の期間とは異なる期間である
請求項１８に記載の撮像装置。
【請求項２０】
複数の前記位相差ライン及び複数の前記通常ラインにおける読出しラインを選択する行走査部と、
前記選択された読出しラインにおける読出し画素を選択する列走査部と
をさらに具備する請求項１６から１９のいずれかに記載の撮像装置。
【請求項２１】
前記選択されたラインにおける前記選択された画素を同時に駆動する駆動部と、
前記駆動された画素の画素値を保持する画素値保持部と
をさらに具備する請求項２０に記載の撮像装置。
【請求項２２】
前記列走査部は、前記保持された画素値の各々を所定の順番で出力する
請求項２１記載の撮像素子。
【請求項２３】
前記複数の位相差画素は、互いに対応する第１の位相差画素及び第２の位相差画素を複数含み、
前記読出し制御部は、前記第１の読出し期間に含まれる第３の読出し期間に前記複数の第１の位相差画素の画素値を、前記第１の読出し期間に含まれる第４の読出し期間に前記複数の第２の位相差画素の画素値を、それぞれ読み出す
請求項１５から２２のいずれかに記載の撮像装置。
【請求項２４】
出力される１フレームが、読み出された前記複数の位相差画素の画素値と、読み出された前記複数の通常画素の画素値とを含み、前記読み出された前記複数の位相差画素の画素値は、読み出された前記複数の通常画素の画素値の後に出力される、
請求項１５に記載の撮像装置。
【請求項２５】
前記列走査部は、前記第１の期間内に前記位相差ラインのいずれかが選択された場合には前記位相差画素の位置に対応する順番において画素の画素値として出力されることのない固定値をさらに出力する
請求項１６から２４のいずれかに記載の撮像装置。
【請求項２６】
前記第１の期間内に選択されたラインの各々において所定の位置関係にある複数の画素に前記位相差画素が含まれる場合には前記通常画素の画素値と前記固定値とを加算し、前記所定の位置関係にある複数の画素に前記位相差画素が含まれない場合には前記複数の画素の画素値を加算する画素加算部をさらに具備し、
前記列走査部は、前記第１の期間内に選択されたラインの各々において前記加算された値を出力する
請求項２５記載の撮像装置。
【請求項２７】
前記複数の位相差画素の各々は、瞳分割された一対の光を受光するための一対の位相差画素を含み、
前記行走査部は、前記第２の期間において前記位相差ラインの各々を選択する走査処理を２回実行し、
前記列走査部は、前記第２の期間内の１回目の走査処理で選択されたラインの各々において前記一対の位相差画素のうちの一方の画素値を出力し、前記第２の期間内の２回目の走査処理で選択されたラインの各々において前記一対の位相差画素のうちの他方の画素値を出力する
請求項２０から２６のいずれかに記載の撮像装置。
【請求項２８】
読み出された前記複数の位相差画素の画素値の出力に基づき、位相差の検出を行う位相差検出部と、
読み出された前記複数の通常画素の画素値の出力に基づき、画像処理を行う画像処理部と
をさらに有する請求項１５に記載の撮像装置。
【請求項２９】
前記位相差画素の画素値の出力と、前記画像処理とを並列して同時に行う
請求項２８に記載の撮像装置。
【請求項３０】
前記位相差の検出と、前記画像処理とを並列して同時に行う
請求項２８に記載の撮像装置。